(57)【要約】【課題】多数の鍵違いを得ることができ、ロックピンの誤作動問題がないキーハンドル抜き差し型扉用ロックハンドル装置を提供する。【解決手段】キーハンドル７の作動突子８を連結フランジ５のハンドル係脱溝６から抜き取ったとき、圧縮コイルバネ１１の付勢により錠止板１０のロックピン状突出部１２がハンドル係脱溝６に係合し、錠止板１０の制止用縁部１６がロック用凹部９の制止用受部１８に係合して、施錠軸３を受座本体２に対して回転不能に錠止する。また、作動突子８をハンドル係脱溝６に所定深さまで挿入したとき、ロックピン状突出部１２が作動突子８のキーコード用凹部１３に押されて後退して、ロックピン状突出部１２の前端が取付フランジ４の前端面２３と連結フランジ５の後端面２０との接触線上に到達し、錠止板１０の制止用縁部１６がロック用凹部９の逃げ溝１７に入り込み可能な位置に来る。【選択図】図５
2008075294.tif 000002
【特許請求の範囲】
【請求項１】
扉パネル１に固着される受座本体２と、前記受座本体２の軸受孔２１に回転可能に支持される施錠軸３と、前記受座本体２の前端に突設された取付フランジ４と、前記施錠軸３の前端に突設され、挿入口１４を側面に設けた連結フランジ５と、前記挿入口１４より前記連結フランジ５の後端面に形成したハンドル係脱溝６に作動突子８が着脱自在に挿入されるキ−ハンドル７と、前記取付フランジ４の前端面のロック用凹部９に嵌め込まれ、前記ハンドル係脱溝６に係脱自在な複数個のロックピン状突出部１２を突出長さに変化をつけて前端面に設けた錠止板１０と、前記ロック用凹部９の内底面と前記錠止板１０の後端面間に挿入された圧縮コイルバネ１１とから成り、
前記キーハンドル７の作動突子８の背面側に複数個のキーコード用凹部１３を、前記ロックピン状突出部１２に対応した位置に深さに変化をつけて配設してあり、前記取付フランジ４の前記ロック用凹部９の内周面１５には、前記錠止板１０の外周縁部の制止用縁部１６と係合して前記錠止板１０を前記取付フランジ4に対して回転不能にする制止用受部１８を形成してあり、前記複数個のロックピン状突出部１２の少なくとも1個が前記ハンドル係脱溝６の内側壁面１９に当接可能に配置されており、前記取付フランジ４の前記ロック用凹部９の内周面１５には前記錠止板１０の制止用縁部１６が通過可能な逃げ溝１７を形成してあり、
前記キーハンドル７の前記作動突子８を前記連結フランジ５の前記ハンドル係脱溝６から抜き取ったとき、前記圧縮コイルバネ１１の付勢によって前記錠止板１０が前進して前記ロックピン状突出部１２が前記ハンドル係脱溝６に係合するとともに、前記錠止板１０の制止用縁部１６が前記ロック用凹部９の前記制止用受部１８に係合することによって、前記施錠軸３が前記受座本体２に対して回転不能に錠止される一方、
前記キーハンドル７の前記作動突子８を前記連結フランジ５の前記ハンドル係脱溝６に所定深さまで挿入したとき、前記錠止板１０の前記ロックピン状突出部１２が前記作動突子８の前記キーコード用凹部１３に押されて、前記ロックピン状突出部１２の前端が前記取付フランジ４の前端面２３と前記連結フランジ５の後端面２０との接触線上に後退移動し、前記錠止板１０の前記制止用縁部１６が前記ロック用凹部９の前記逃げ溝１７に入り込み可能な位置まで後退移動するようになっているキーハンドル抜き差し型扉用ロックハンドル装置。
【発明の詳細な説明】
【技術分野】
【０００１】
本発明は、扉の開閉操作に使用されるキーハンドルの正逆回転により、これと連結された施錠軸を回転させて扉の解施錠を行ない、施錠時には前記キーハンドルを施錠軸から取外して置くことができ、前記キーハンドルの取外しによって施錠軸が受座本体に対して自動的に錠止される一方、前記キーハンドルの挿入によって前記錠止が直ちに解除されるキーハンドル抜き差し型扉用ロックハンドル装置に関するものである。
【背景技術】
【０００２】
従来のキーハンドル抜き差し型扉用ロックハンドル装置は、扉パネルに固着される受座本体の軸受孔に回転自在に嵌挿した施錠軸の前端に連結フランジを形成し、前記連結フランジにキーハンドルの作動突子の挿入口と、前記作動突子が係脱するハンドル係脱溝を前記施錠軸の回転中心軸線の横断方向に設け、前記受座本体の前端に形成した取付フランジには前記軸受孔の周囲にピン受入れ用小孔を軸方向に設け、前記施錠軸の前記連結フランジには前記取付フランジ側のピン受入れ用小孔に対応させて別のピン受入れ用小孔を軸方向に設け、前記取付フランジ側のピン受入れ用小孔に嵌挿した従動ピンを圧縮コイルバネにいって前進方向に付勢して、前記連結フランジ側のピン受入れ用小孔に嵌挿した駆動ピンの小径前端部を前記ハンドル係脱溝内に突出させ、前記駆動ピンの後端を前記連結フランジの後端面と前記取付フランジの前端面との接触線上に後退移動ささせるキーコード用凹部を前記キーハンドルの前記作動突子の背面側に形成している（特許文献１参照）。
【０００３】
このような軸方向ピンタンブラー型シリンダー錠機構を組み込んである扉用ロックハンドル装置では、前記駆動ピンや従動ピンの外径寸法と前記ピン受入れ用小孔の内径寸法との間に存在するギャップが許容範囲を越えたときには、前記施錠軸が正規の施錠位置や解錠位置まで回転していないにも拘らず、前記施錠軸が前記受座本体に対して施錠または解錠された状態となるなど、ロック用ピンの誤作動問題を発生する危険性がある。また、シリンダー錠機構を組み込むときには、トータルコストが増加する難点もある。
【０００４】
【特許文献１】特許第２８５６３１８号公報
【発明の開示】
【発明が解決しようとする課題】
【０００５】
本発明の課題は、シリンダー錠機構と同様に多数の鍵違いを得ることができるとともに、前記したロック用ピンの誤作動問題がクリアでき、トータルコストの節減が可能であるキーハンドル抜き差し型扉用ロックハンドル装置を提供することである。
【課題を解決するための手段】
【０００６】
本発明のキーハンドル抜き差し型扉用ロックハンドル装置は、扉パネル１に固着される受座本体２と、前記受座本体２の軸受孔２１に回転可能に支持される施錠軸３と、前記受座本体２の前端に突設された取付フランジ４と、前記施錠軸３の前端に突設され、挿入口１４を側面に設けた連結フランジ５と、前記挿入口１４より前記連結フランジ５の後端面に形成したハンドル係脱溝６に作動突子８が着脱自在に挿入されるキ−ハンドル７と、前記取付フランジ４の前端面のロック用凹部９に嵌め込まれ、前記ハンドル係脱溝６に係脱自在な複数個のロックピン状突出部１２を突出長さに変化をつけて前端面に設けた錠止板１０と、前記ロック用凹部９の内底面と前記錠止板１０の後端面間に挿入された圧縮コイルバネ１１とから成る。
【０００７】
前記キーハンドル７の作動突子８の背面側に複数個のキーコード用凹部１３を、前記ロックピン状突出部１２に対応した位置に深さに変化をつけて配設してあり、前記取付フランジ４の前記ロック用凹部９の内周面１５には、前記錠止板１０の外周縁部の制止用縁部１６と係合して前記錠止板１０を前記取付フランジ4に対して回転不能にする制止用受部１８を形成してあり、前記複数個のロックピン状突出部１２の少なくとも1個が前記ハンドル係脱溝６の内側壁面１９に当接可能に配置されており、前記取付フランジ４の前記ロック用凹部９の内周面１５には前記錠止板１０の制止用縁部１６が通過可能な逃げ溝１７を形成してある。
【０００８】
前記キーハンドル７の前記作動突子８を前記連結フランジ５の前記ハンドル係脱溝６から抜き取ったとき、前記圧縮コイルバネ１１の付勢によって前記錠止板１０が前進して前記ロックピン状突出部１２が前記ハンドル係脱溝６に係合するとともに、前記錠止板１０の制止用縁部１６が前記ロック用凹部９の前記制止用受部１８に係合することによって、前記施錠軸３が前記受座本体２に対して回転不能に錠止される一方、
前記キーハンドル７の前記作動突子８を前記連結フランジ５の前記ハンドル係脱溝６に所定深さまで挿入したとき、前記錠止板１０の前記ロックピン状突出部１２が前記作動突子８の前記キーコード用凹部１３に押されて、前記ロックピン状突出部１２の前端が前記取付フランジ４の前端面２３と前記連結フランジ５の後端面２０との接触線上に後退移動し、前記錠止板１０の前記制止用縁部１６が前記ロック用凹部９の前記逃げ溝１７に入り込み可能な位置まで後退移動する。
【発明の効果】
【０００９】
本発明では、キーハンドル７の作動突子８を連結フランジ５のハンドル係脱溝６から抜き取ったとき、圧縮コイルバネ１１の付勢によって前進移動した錠止板１０のロックピン状突出部１２がハンドル係脱溝６に係合する一方、錠止板１０の制止用縁部１６がロック用凹部９の制止用受部１８に係合することによって、施錠軸３が受座本体２に対して回転不能に錠止されるものであり、また、作動突子８をハンドル係脱溝６に所定深さまで挿入したとき、錠止板１０のロックピン状突出部１２が作動突子８のキーコード用凹部１３に押されて後退移動して、ロックピン状突出部１２の前端が取付フランジ４の前端面２３と連結フランジ５の後端面２０との接触線上に到達し、錠止板１０の制止用縁部１６がロック用凹部９の逃げ溝１７に入り込み可能な位置に来るものであり、複数個のロックピン状突出部１２の突出長さと複数個のキーコード用凹部１３の深さに変化をつけることによって、シリンダー錠機構を組み込んだのと同じように多数の鍵違いを得ることができる。
【００１０】
キーコード用凹部１３は管理された機械加工によって適正位置に形成され、錠止板１０がロック用凹部９の内周面１５にガイドされて前後動するため、作動突子８のキーコード用凹部１３と錠止板１０のロックピン状突出部１２は、施錠位置と解錠位置のいずれにおいてもそれぞれの中心線が整合した適正位置に配置され、前記したロック用ピンの誤作動問題が発生することがない。
また、従動ピン及び駆動ピンという２本のロックピンの組み合わせを使用する従来のシリンダー錠機構と比べて、錠止板１０のロックピン状突出部１２が作動突子８のキーコード用凹部１３を使用する本発明の扉用ロックハンドル装置では、製作加工のトータルコストを節減することができる。
【実施例】
【００１１】
図示した実施例のキーハンドル抜き差し型扉用ロックハンドル装置では、前記取付フランジ４の背面側に錠前収容部２２を形成し、前記錠前収容部２２に背面側から収容した錠前ユニット２４の固定ケース２７を固定ビス４３によって前記取付フランジ４に固着し、前記固定ケース２７に回転可能に収容したロータ２９の後端部に偏心カム突起４５を設け、前記固定ケース２７の後端部に横断方向に形成したガイド溝５７にロック板３２を収容し、前記ロック板３２の交差方向のカム溝４６に前記偏心カム突起４５を係合させてあり、前記錠前ユニット２４の内部錠機構によって前記ロータ２９を前記固定ケース２７に対して回転不能に錠止したとき、前記ロック板３２の屈曲板部３４が係合するロック受溝３５を前記取付フランジ４に形成し、前記錠前ユニット２４の内部錠機構によって前記ロータ２９を前記固定ケース２７に対して回転不能に錠止したとき、前記ロック板３２の前記屈曲板部３４が係合するロック受孔４７を前記連結フランジ５の側面に形成してあり、前記錠前ユニットの内部錠機構による前記ロータ２９の前記錠止を解除したとき、前記ロック板３２の屈曲板部３４が係合する待機溝５１を前記固定ケース２７の側面に形成し、前記錠前ユニット２４の内部錠機構による前記ロータ２９の前記錠止を解除したとき、前記ロック板３２の前記屈曲板部３４が係合する待機孔５２を前記取付フランジ４の側面に形成してある。
【００１２】
施錠軸３の先端部に固着した止め金板３０が固定枠体側の受金部（図示していない）に係合し、扉パネル１が施錠状態にあるときには、取付フランジ４のロック用凹部９と連結フランジ５のハンドル係脱溝６は互いに整合した位置にある。そのため、キ−ハンドル７の作動突子８をハンドル係脱溝６から抜き取ったときには、図５に示したように錠止板１０が圧縮コイルバネ１１の付勢によって前進摺動し、ロックピン状突出部１２がハンドル係脱溝６に入り込み、一部のロックピン状突出部１２がハンドル係脱溝６の内側壁面１９に当接するため、連結フランジ５と施錠軸３は錠止板１０の媒介によって受座本体２に対して回転不能に錠止されている。
【００１３】
錠前ユニット２４のロータ２９の鍵孔４４に鍵（図示していない）を挿入し、内部錠機構を当該鍵で駆動して固定ケース２７に対するロータ２９の錠止を解除し、ロータ２９を所定角度だけ施錠方向に回転させると、ロータ２９の偏心カム突起４５とロック板３２のカム溝４６との協働作用によって、ロック板３２が固定ケース２７のガイド溝５７に添って下方にスライドし（図５の鎖線位置）、ロック板３２の屈曲板部３４が取付フランジ４のロック受溝３５と連結フランジ５のロック受孔４７に係合するので、施錠軸３は前記錠止板１０に加えて、ロック板３２の媒介によっても受座本体２に対して回転不能に錠止されることになる。
【００１４】
他方、図４０に示したようにキ−ハンドル７を連結フランジ５の挿入口１４よりハンドル係脱溝６に所定深さまで挿入すると、作動突子８のキーコード用凹部１３の内面がロックピン状突出部１２の前端丸頭面を押すため、錠止板１０は圧縮コイルバネ１１の付勢に抗して後退し、ロックピン状突出部１２の前端が取付フランジ４の前端面２３と前記連結フランジ５の後端面２０との接触線上にまで移動し、錠止板１０の制止用縁部１６がロック用凹部９の逃げ溝１７に入り込み可能な位置まで後退する。
そして、錠前ユニット２４の鍵孔４４に鍵を挿入して固定ケース２７に対するロータ２９の錠止を解除し、当該鍵によってロータ２９を所定角度だけ解錠方向に回転させると、ロータ２９の偏心カム突起４５とロック板３２のカム溝４６との協働作用によって、ロック板３２が固定ケース２７のガイド溝５７に添って上方にスライドし（図４０の実線位置）、ロック板３２の屈曲板部３４が取付フランジ４のロック受溝３５と連結フランジ５のロック受孔４７から脱出して、固定ケース３７の待機溝５１と取付フランジ４の待機孔５２に係合するので、施錠軸３のロック板３２を媒介とする受座本体２に対する錠止も解除される。
【００１５】
この段階でキーハンドル７を解錠方向に回すと、錠止板１０の制止用縁部１６がロック用凹部９の逃げ溝１７に入り込むことによって、施錠軸３は解錠位置まで回転させられ、止め金板３０が固定本体側の受金部から離脱し、固定本体に対する扉パネル１の施錠が解除され、扉パネル１はそのままキーハンドル７を手前に引くことによって開放される。
【００１６】
図示の実施例では、取付フランジ４の後端面には回り止め用突起部３８を上下一対に設けてあり、扉パネル１には突起部３８が嵌められる透孔４０と、受座本体２が嵌められる透孔４１を設けてある。取付フランジ４と扉パネル１の間には弾力性部材より成るシ−ト４２が挿入され、シート４２には受座本体２が嵌められる透孔６０と、前記突起部３８が嵌められる透孔６１を設けてある。
【００１７】
受座本体２は外周ねじ部に螺合したナット６２によって扉パネル１に締付け固着され、扉パネル１の後面とナット６２の間にはスプリングワッシャ−６３が挿入されている。受座本体２の軸受孔２１には施錠軸３が嵌挿され、施錠軸３の先端角軸部の付け根に設けられた環状溝６４に抜止め用Ｃ−リング６５が嵌められている。前記先端角軸部には止め金板３０が嵌合され、ボルト３１によって固着されている。
【００１８】
また、左回転停止型と右回転停止型のいずれの態様でも使用できるようにするため、取付フランジの前端面には軸受孔２１に関して左右対称に２個の弧状溝２６が設けられており、連結フランジ５の後端面２０の突起２５が前記弧状溝２６に係合して、施錠軸３の回転を所定角度に規制する。取付フランジ４の前記ロック用凹部９は左右両側を切欠した所謂小判形の断面形状をとるものであり、前記軸受孔２１はその中央部に開口している。錠止板１０も前記ロック用凹部９と合致した形状を有している。ロックピン状突出部１２は、左右２個ずつ設けられている。これらロックピン状突出部１２の中間部には、施錠軸３の挿通孔６６が形成され、錠止板１０は、施錠軸３の長さ方向に摺動可能になっている。
【００１９】
キーハンドル７を回して施錠軸３を回転させるとき、キーコード用凹部１３の深さとロックピン状突出部１２の長さの関係で一部または全部のロックピン状突出部１２の各前端部がハンドル係脱溝６内に残留しており、当該先端部側面がハンドル係脱溝６の内側壁面１９に押されることによって、錠止板１０がロック用凹部９内で回転付勢を受けることになる。このとき、錠止板１０の制止用縁部１６はロック用凹部９の制止用受部１８との係合から離脱して、ロック用凹部９の内周面１５の逃げ溝１７に入り込み、錠止板１０の回転を許容することになる。
図示の実施例では、逃げ溝１７は、ロック用凹部９の前記小判形断面の左右一対の平行辺部に形成され、制止用受部１８は前記小判形断面の上下一対の円弧辺部によって形成されている。
【００２０】
施錠軸３の周側面にリング状溝６８を設け、リング状溝６７にＯ−リング６８を嵌め入れてある。Ｏ−リング６８が受座本体２の内壁に接触することによって、一定の摩擦力が得られ、キ−ハンドル７の回転操作時に加える力を除去しても、キーハンドル７を当該回転位置に維持することができ、むやみに施錠状態に戻ることがない。
【００２１】
本実施例では、錠前ユニット３４の固定ケース３７の左右端面には取付用耳部５６が形成されており、錠前収容部３２の後端部には、取付用耳部５６が収容される段差部５５が形成されている。取付用耳部５６には、固定用ビス４３の挿入孔５９が形成されている。前記段差部５６に連設した取付用ボス部５３には、固定用ビス４３が捻じ込まれる螺子孔５４を形成してある。
固定ケース３７の後端部下側面には位置決め用突起４８が形成されており、取付フランジ４の背面部には位置決め用突起４８が嵌め込まれる受溝４９を形成してある。
ロータ３９の後端部に装着した抜け止め部材３６は、固定ケース２７に形成した係止部３９に係合しており、ロータ２９は固定ケース２７から抜き取り不能に組立てられている。
錠前収容部２２の前端部には、ロータ２９の前端部が嵌め込まれる円形孔５０が形成されている。
【図面の簡単な説明】
【００２２】
【図１】本発明の一実施例に係るキーハンドル抜き差し型扉用ロックハンドル装置のキーハンドル抜き取り状態における正面図である。
【図２】図１の扉用ロックハンドル装置の右側面図である。
【図３】図１の扉用ロックハンドル装置の底面図である。
【図４】図１の扉用ロックハンドル装置の背面図である。
【図５】図１の扉用ロックハンドル装置のＡ−Ａ線断面図である。
【図６】図１の扉用ロックハンドル装置のＢ−Ｂ線断面図である。
【図７】図１の扉用ロックハンドル装置のＣ−Ｃ線断面図である。
【図８】図１の扉用ロックハンドル装置に使用する受座本体の正面図である。
【図９】図８の受座本体の右側面図である。
【図１０】図８の受座本体の背面図である。
【図１１】図８の受座本体の底面図である。
【図１２】図８の受座本体のＤ−Ｄ線断面図である。
【図１３】図８の受座本体のＥ−Ｅ線断面図である。
【図１４】図１の扉用ロックハンドル装置に使用する施錠軸の正面図である。
【図１５】図１４の施錠軸の右側面図である。
【図１６】図１４の施錠軸の背面図である。
【図１７】図１４の施錠軸の底面図である
【図１８】図１４の施錠軸のＦ−Ｆ線断面図である
【図１９】図１６の施錠軸のＧ−Ｇ線断面図である
【図２０】図１の扉用ロックハンドル装置に使用する錠止板の正面図である。
【図２１】図２１の錠止板の背面図である。
【図２２】図２１の錠止板の底面図である。
【図２３】図２１の錠止板の左側面図である。
【図２４】図２１の錠止板の右側面図である。
【図２５】図２１の錠止板のＨ−Ｈ線断面図である。
【図２６】図１の扉用ロックハンドル装置に使用する錠前ユニットの固定ケースの正面図である。
【図２７】図２６の固定ケースの背面図である。
【図２８】図２６の固定ケースの底面図である。
【図２９】図２６の固定ケースのＩ−Ｉ線断面図である。
【図３０】図２６の固定ケースのＪ−Ｊ線断面図である。
【図３１】図１の扉用ロックハンドル装置に使用するロック板の正面図である。
【図３２】図３１のロック板の右側面図である。
【図３３】図３１のロック板の底面図である。
【図３４】図１の扉用ロックハンドル装置に使用するキーハンドルの正面図である。
【図３５】図３４のキーハンドルの背面図である。
【図３６】図３４のキーハンドルのＫ−Ｋ線断面図である。
【図３７】図３４のキーハンドルの平面図である。
【図３８】図３４のキーハンドルのＬ−Ｌ線断面図である。
【図３９】図３４のキーハンドルのＭ−Ｍ線断面図である。
【図４０】図１の扉用ロックハンドル装置のキーハンドルの挿入状態における縦断面図である。
【符号の説明】
【００２３】
１  扉パネル
２  受座本体
３  施錠軸
４  受座本体の取付フランジ
５  施錠軸の連結フランジ
６  ハンドル係脱溝
７  キ−ハンドル
８  キーハンドルの作動突子
９  取付フランジのロック用凹部
１０  錠止板
１１  圧縮コイルバネ
１２  錠止板のロックピン状突出部
１３  作動突子のキーコード用凹部
１４  連結フランジの挿入口
１５  ロック用凹部の内周面
１６  錠止板の制止用縁部
１７  ロック用凹部の逃げ溝
１８  ロック用凹部の制止用受部
１９  ハンドル係脱溝の内側壁面
２０  連結フランジの後端面
２１  受座本体の軸受孔
２２  取付フランジの錠前収容部
２３  取付フランジの前端面
２４  錠前ユニット
２５  連結フランジの回転角度規制用突起
２６  取付フランジの弧状溝
２７  錠前ユニットの固定ケース
２９  錠前ユニットのロータ
３０  止め金板
３１  止め金板用固定ビス
３２  ロック板
３４  ロック板の屈曲板部
３５  取付フランジのロック受溝
３６  ロータの抜け止め部材
３８  取付フランジの回り止め用突起
３９   抜け止め部材用の係止部
４０  回り止め用突起の嵌め入れ用透孔
４１  受座本体の嵌め入れ用透孔
４２  シート
４３  固定ケースの固定用ビス
４４  ロータの鍵孔
４５  ロータの偏心カム突起
４６  ロック板のカム溝
４７  連結フランジのロック受孔
４８  固定ケースの位置決め用突起
４９  位置決め用突起の嵌め入れ用受溝
５０  ロータの嵌め込み孔
５１  固定ケースの待機溝
５２  取付フランジの待機孔
５３  錠前収容部の取付用ボス部
５４  固定用螺子孔
５５  錠前収容部の段差部
５６  固定ケースの取付用耳部
５７  ロック板のガイド溝
５８  抜け止め部材の挿入部
５９  固定ケースのビス挿入孔
６０  シートの受座本体用透孔
６１  シートの回り止め突起用透孔
６２  受座本体の固着用ナット
６３  スプリングワッシャー
６４  施錠軸の環状溝
６５  抜け止めワッシャー
６６  錠止板の施錠軸の挿通孔
６７  リング状溝
６８  シール用リング
【図１】
2008075294.tif 000003
【図２】
2008075294.tif 000004
【図３】
2008075294.tif 000005
【図４】
2008075294.tif 000006
【図５】
2008075294.tif 000007
【図６】
2008075294.tif 000008
【図７】
2008075294.tif 000009
【図８】
2008075294.tif 000010
【図９】
2008075294.tif 000011
【図１０】
2008075294.tif 000012
【図１１】
2008075294.tif 000013
【図１２】
2008075294.tif 000014
【図１３】
2008075294.tif 000015
【図１４】
2008075294.tif 000016
【図１５】
2008075294.tif 000017
【図１６】
2008075294.tif 000018
【図１７】
2008075294.tif 000019
【図１８】
2008075294.tif 000020
【図１９】
2008075294.tif 000021
【図２０】
2008075294.tif 000022
【図２１】
2008075294.tif 000023
【図２２】
2008075294.tif 000024
【図２３】
2008075294.tif 000025
【図２４】
2008075294.tif 000026
【図２５】
2008075294.tif 000027
【図２６】
2008075294.tif 000028
【図２７】
2008075294.tif 000029
【図２８】
2008075294.tif 000030
【図２９】
2008075294.tif 000031
【図３０】
2008075294.tif 000032
【図３１】
2008075294.tif 000033
【図３２】
2008075294.tif 000034
【図３３】
2008075294.tif 000035
【図３４】
2008075294.tif 000036
【図３５】
2008075294.tif 000037
【図３６】
2008075294.tif 000038
【図３７】
2008075294.tif 000039
【図３８】
2008075294.tif 000040
【図３９】
2008075294.tif 000041
【図４０】
2008075294.tif 000042